(57)【特許請求の範囲】
【請求項１】
第１と第２の２つの交流電源のそれぞれから共通の負荷へ給電する２つの給電回路に、それぞれサイリスタ素子の逆極性並列接続回路で構成された給電スイッチを設け、これらの給電スイッチの切換えにより負荷へ給電する電源を切換える電源切換装置において、
前記２つの給電回路の交流電流をそれぞれ検出する電流検出器と、一方の給電スイッチに対するオン指令により、当該給電スイッチのサイリスタへのゲート信号をオンにするとともに、他方の給電スイッチのサイリスタへのゲート信号をオフにする切換制御回路と、を備え、
前記切換制御回路が、前記電流検出器で検出された交流電流に基づいて電流の極性反転を判別するとともに極性判別信号を出力する極性判別手段と、前記給電スイッチがオフしたことを検出するスイッチオフ検出器と、を有し、
前記スイッチオフ検出器が、前記電流検出器で検出された交流電流がゼロになったときに検出信号を発生するゼロ電流検出器と、前記ゼロ電流検出器の検出信号を所定時間だけ遅らせたスイッチオフ検出信号を発生する遅延回路と、を有し、
前記２つの給電スイッチを切換えて電源を切り換える際、オンしている一方の給電スイッチへのオン指令をオフに、オフしている他方の給電スイッチへのオン指令をオンに、それぞれ切り換えることにより、前記オンしている一方の給電スイッチの各サイリスタへのゲート信号をオフにして、
前記オンしている一方の給電スイッチの各サイリスタがオフした後に、前記極性判別信号に基づいて、前記オフしている他方の給電スイッチのうちの一方のサイリスタへのゲート信号をオンにし、前記スイッチオフ検出信号に基づいて、前記オフしている他方の給電スイッチのうちの他方のサイリスタへのゲート信号をオンにして、各サイリスタをオンさせることを特徴とする電源切換装置。
【発明の詳細な説明】
【技術分野】
【０００１】
この発明は、２つの交流電源を交互に切り換えて負荷へ給電するための電源切換装置に関する。
【背景技術】
【０００２】
一般に、インバータを備えた交流電源から負荷に給電する場合、インバータの故障時や点検時にインバータを備えた交流電源から、商用の交流電源に切り換えて商用交流電源から負荷へ給電することが行われる。
【０００３】
このように２つの電源の間で瞬間的に切り換える場合、負荷変動に伴う電圧変動が発生するとともに、電源間に横流が流れる。
【０００４】
このような電圧変動や、横流の発生を抑制するための電源切換装置として、従来から特許文献１や２に示される装置が知られている。しかし、この従来の電源切換装置には、インバータを備える電源の電圧と、もう一方の商用交流電源の電圧とを同期させて切換えを行う同期切換手段や、横流を抑制する横流抑制手段などを備えるので、構成が複雑になる問題がある。
【先行技術文献】
【特許文献】
【０００５】
【特許文献１】特開平０９−０１９０６５号公報
【特許文献２】特公平０７−００４０５２号公報
【発明の概要】
【発明が解決しようとする課題】
【０００６】
この発明は、前記の従来装置における問題を解決するため、同期切換え手段や、横流を抑制する横流抑制手段などを設けることなく、電源切換え時に横流の発生を確実に防止することのできる、構成の簡単な電源切換装置を提供することを課題とする。
【課題を解決するための手段】
【０００７】
前記の課題を解決するため、この発明は、第１と第２の２つの交流電源のそれぞれから共通の負荷へ給電する２つの給電回路に、それぞれ給電スイッチを設け、これらの給電スイッチの切換えにより負荷へ給電する電源を切換える電源切換装置において、前記２つの給電スイッチを、それぞれ２つのサイリスタ素子を逆極性に並列接続して構成し、前記２つの給電スイッチを切換えて電源を切り換える際、オンしている一方の給電スイッチの各サイリスタにゲートオフ信号を与え、このオンしている側の給電スイッチの各サイリスタがオフした後に、オフしている他方の給電スイッチの各サイリスタにゲートオン信号を与えて、各サイリスタをオンさせることを特徴とするものである。
【０００８】
この発明においては、オンしている側の給電スイッチにおける各サイリスタのオフしたことを検知する手段として、前記給電スイッチを通流する電流の極性の反転を判別する極性判別手段と、前記給電スイッチを通流する電流がほぼゼロになったことを検知するゼロ電流検出器とを備えることができる。
【発明の効果】
【０００９】
この発明によれば、２つの交流電源から共通の負荷へ給電する２つの給電回路にそれぞれ設けた、サイリスタ素子で構成した給電スイッチのオン、オフを切り換えて電源の切換えを行うとき、オンしている一方の前記給電スイッチにオフ指令を与え、そのサイリスタがオフになった後に、オフしている他方の給電スイッチのサイリスタにオン指令を与えて、そのサイリスタをオンにするようにしているので、特別な横流抑制装置を設けることなしに電源の切り換え時に電源間に横流が流れることを防止することができる。このため、切換装置の構成を簡単にすることができる。
【図面の簡単な説明】
【００１０】
【図１】この発明の実施例を示す回路構成図である。
【図２】この発明の実施例の動作波形図である。
【発明を実施するための形態】
【００１１】
この発明の実施の形態を図に示す実施例について説明する。
【実施例】
【００１２】
図１は、この発明の電源切換装置の実施例であり、三相交流回路の一相分を示す構成図である。
【００１３】
図１において、１および２は、第１および第２の交流電源である。この２つの交流電源のそれぞれから、給電路１１および２１を切り換えて共通の負荷５に給電する。給電路１１および２１には、それぞれ、電流検出器１２、２２、および負荷５への給電路を選択的に切換えるための給電スイッチ３、４が設けられている。給電スイッチ３および４は、それぞれ２つのサイリスタを３Ｐ、３Ｎおよび４Ｐ、４Ｎを逆極性に並列接続して構成される。
【００１４】
給電スイッチ３および４には、それぞれ、切換制御回路３０および４０が付属する。切換制御回路３０および４０は、外部からの切換指令により一方の給電スイッチがオンしているときは他方の給電スイッチがオフされ、２つの給電スイッチ３、４が同時にオンされることがないように、給電スイッチ３、４のオン、オフを制御する。
【００１５】
切換制御回路３０は、給電スイッチ３に対するオン指令ＯＮ３により、給電スイッチ３のサイリスタ３Ｐ，３Ｎへのゲート信号Ｇ３Ｐ、Ｇ３Ｎをオン（「１」）にし、給電スイッチ４のサイリスタ４Ｐ，４Ｎへのゲート信号Ｇ４Ｐ、Ｇ４Ｎをオフ（「０」）にする動作をする。そして、切換制御回路４０は、給電スイッチ４に対するオン指令ＯＮ４により、給電スイッチ４のサイリスタ４Ｐ、４Ｎへのゲート信号Ｇ４Ｐ、Ｇ４Ｎをオン（「１」）にし、給電スイッチ３のサイリスタ３Ｐ、３Ｎへのゲート信号Ｇ３Ｐ、Ｇ３Ｎをオフ（「０」）にする動作をする。
【００１６】
切換制御回路３０および４０は、同じ構成を有するので、切換制御回路３０の構成を説明し、切換制御回路４０の同一構成要素の符号をカッコ書きで併せて示す。
【００１７】
極性判別器３１Ｐ、３１Ｎ（４１Ｐ、４１Ｎ）は、給電路２２（１２）の交流電流Ｉ２（Ｉ１）を予め設定した基準値０と比較して電流の極性反転を判別する。切換制御回路３０（４０）の極性判別器３１Ｐ（４１Ｐ）は、相手方の交流電源２（１）側の電流検出器２２（１２）で検出される給電路２１（１１）の交流電流Ｉ２（Ｉ１）の極性が正から負へ反転したことを判別したとき、「１」となる判別信号を出力し、それ以外のときは「０」となる判別信号を出力する。極性判別器３１Ｎ（４１Ｎ）は、相手方の交流電源２（１）側の電流検出器２２（１２）で検出される給電路２１（１１）の交流電流Ｉ２（Ｉ１）が、負から正へ反転したことを判別したとき、「１」となる判別信号を出力し、それ以外のときは「０」となる判別信号を出力する。極性判別器３１Ｐ、３１Ｎ（４１Ｐ、４１Ｎ）の判別出力はそれぞれアンドゲート３２Ｐ、３２Ｎ（４２Ｐ、４２Ｎ）の一方の入力端に加えられる。
【００１８】
アンドゲート３２Ｐ、３２Ｎ（４２Ｐ、４２Ｎ）の他方の入力端には、相手方の切換制御回路４０（３０）の指令入力端Ｓ４１（Ｓ３１）に加えられる給電スイッチ４（３）に対するオン指令ＯＮ４（ＯＮ３）がノット回路３８（４８）を介して加わる。このため、オン指令ＯＮ４(ＯＮ３)がオフ（「０」）のときに、極性判別器３１Ｐ、３１Ｎ（４１Ｐ、４１Ｎ）の出力がアンドゲート３２Ｐ、３２Ｎ（４２Ｐ、４２Ｎ）から取り出される。
【００１９】
フリップフロップ３４Ｐ、３４Ｎ(４４Ｐ、４４Ｎ)は、アンドゲート３２Ｐ、３２Ｎ（４２Ｐ、４２Ｎ）を介して加わるセット入力端Ｓに極性判別器３１Ｐ、３１Ｎ（４１Ｐ、４１Ｎ）の判別出力が「１」のときセットされる。フリップフロップ３４Ｐ、３４Ｎ(４４Ｐ、４４Ｎ)は、セットされると、ゲートオン許可信号ＧＡ３Ｐ、ＧＡ３Ｎ（ＧＡ４Ｐ、ＧＡ４Ｎ）を「１」にして保持する。このフリップフロップ３４Ｐ、３４Ｎが出力するゲートオン許可信号ＧＡ３Ｐ、ＧＡ３Ｎ（ＧＡ４Ｐ、ＧＡ４Ｎ）がオン（「１」）となると、アンドゲート３５Ｐ、３５Ｎ（４５Ｐ、４５Ｎ）が開き、給電スイッチ３（４）に対するオン指令ＯＮ３（ＯＮ４）が、ゲート信号Ｇ３Ｐ、Ｇ３Ｎ（Ｇ４Ｐ、Ｇ４Ｎ）としてサイリスタ３Ｐ、３Ｎ（４Ｐ、４Ｎ）のゲートに加わる。
【００２０】
フリップフロップ３４Ｐ、３４Ｎ(４４Ｐ、４４Ｎ)のリセット入力端Ｒに給電スイッチ３（４）に対するオン指令ＯＮ３（ＯＮ４）がノット回路３７（４７）を介して加わるので、フリップフロップ３４Ｐ、３４Ｎ(４４Ｐ、４４Ｎ)は、オン指令ＯＮ３（ＯＮ４）がオフ（「０」）となったとき、リセットされ、保持したゲートオン許可信号ＧＡ３Ｐ，ＧＡ３Ｎ（ＧＡ４Ｐ、ＧＡ４Ｎ）をオフ（「０」）にする。これによりアンドゲート３５Ｐ、３５Ｎ（４５Ｐ、４５Ｎ）が閉じて、スイッチ３（４）の各サイリスタのゲートに加えるゲート信号Ｇ３Ｐ、Ｇ３Ｎ（Ｇ４Ｐ、Ｇ４Ｎ）をオフ（「０」）にする。
【００２１】
切換制御回路３０（４０）は、さらに、給電スイッチ３（４）がオフしたことを検出するスイッチオフ検出器３６（４６）を備える。このスイッチオフ検出器３６（４６）は、電流検出器２２（１２）で検出される給電路２１（１１）の電流Ｉ２（Ｉ１）がほぼゼロになったとき、「１」となる検出信号を発生するゼロ電流検出器３６Ｉ（４６Ｉ）と、このゼロ電流検出器３６Ｉ（４６Ｉ）の出力信号を所定時間αだけ遅らせる遅延回路３６Ｄ（４６Ｄ）とで構成される。
【００２２】
スイッチオフ検出器３６（４６）の出力は、アンドゲート３６Ａ（４６Ａ）、オアゲート３３Ｐ、３３Ｎ（４３Ｐ、４３Ｎ）を介して、フリップフロップ３４Ｐ、３４Ｎ（４４Ｐ、４４Ｎ）のセット入力端Ｓに加えられる。アンドゲート３６Ａ（４６Ａ）の他方の入力端には、相手方の給電スイッチ４（３）に対するオン指令ＯＮ４（ＯＮ３）がノット回路３８（４８）を介して加えられる。このため、アンドゲート３６Ａ（４６Ａ）は、相手方の給電スイッチ４（３）に対するオン指令ＯＮ４（ＯＮ３）がオフ（「０」）のときアンドゲート３２Ｐ、３２Ｎ（４２Ｐ、４２Ｎ）とともに開く。このため、給電スイッチ４（３）のオン指令ＯＮ４（ＯＮ３）がオフ（「０」）のときだけ、ゼロ電流検出器３６（４６）の出力信号ＤＩ３（ＤＩ４）が、オアゲート３３Ｐ、３３Ｎ（４３Ｐ、４３Ｎ）を介してフリップフロップ３４Ｐ、３４Ｎ（４４Ｐ、４４Ｎ）のセット入力端Ｓに加わる。
【００２３】
次に、このように構成されたこの発明の電源切換装置の動作を、図２に示す動作波形図を参照して説明する。
【００２４】
図２のｔ０時点においては、切換制御回路３０の指令入力端Ｓ３１に加えられた電源１側の給電スイッチ３に対するオン指令ＯＮ３がオン（「１」）で、切換制御回路４０の指令入力端Ｓ４１に加えられた電源２側の給電スイッチ４に対するオン指令ＯＮ４がオフ（「０」）となっている（図２（ｃ）、（ｄ）参照）。
【００２５】
このため、切換制御回路３０においては、フリップフロップ３４Ｐ、３４Ｎがセットされ、アンドゲート３５Ｐ、３５Ｎが開となって給電スイッチ３のサイリスタ３Ｐ、３Ｎのゲート信号Ｇ３Ｐ，Ｇ３Ｎがオン（「１」）となって、給電スイッチ３がオンし、電源１から負荷５へ給電が行われる。
【００２６】
一方、切換制御回路４０においては、フリップフロップ４４Ｐ、４４Ｎがリセットされるとともに、アンドゲート４５Ｐ、４５Ｎが閉となって給電スイッチ４のサイリスタ４Ｐ、４Ｎへのゲート信号Ｇ４Ｐ、Ｇ４Ｎがオフ（「０」）となり、給電スイッチ４がオフされる。このため、電源２から負荷５への給電は停止される。
【００２７】
ｔ１時点で、負荷５への給電を、電源１から電源２に切換えるために、図２（ｃ）、(ｄ)に示すように、給電スイッチ３へのオン指令ＯＮ３をオフ（「０」）に、給電スイッチ４へのオン指令ＯＮ４をオン（「１」）に切り換える。
【００２８】
これによって、切換制御回路３０においては、フリップフロップ３４Ｐ、３４Ｎが、オフ（「０」）したオン指令ＯＮ３をノット回路３７により反転したによりリセットされ、保持しているゲートオン許可信号ＧＡ３Ｐ、ＧＡ３Ｎがオフ（「０」）になる(図２（ｋ）、(ｌ)参照)。そして、同時にオン指令ＯＮ３がオフ（「０」）することによりアンドゲート３５Ｐ，３５Ｎから給電スイッチ３のサイリスタ３Ｐ、３Ｎへ加えられるゲート信号Ｇ３Ｐ、Ｇ３Ｎがオフ（「０」）となる。サイリスタ３Ｐ、３Ｎは、ゲート信号がオフされても、まだ電流Ｉ１が流れていれば、直ちにオフとなることはない。ここでは、サイリスタ３Ｎがオフし、サイリスタ３Ｐがオンしているので、オンしているサイリスタ３Ｐは、ゲート信号Ｇ３Ｐがオフし、その電流Ｉ１がゼロ点を通過して極性を反転するｔ２時点でオフする。これによって給電スイッチ３がオフとなり、電流Ｉ１が遮断される。
【００２９】
切換制御回路４０においては、電源１側の電流Ｉ１の極性反転を判別する極性判別器４１Ｐが、ｔ２時点で、電流Ｉ１がゼロとなることにより、極性が反転したことを判別し、判別出力信号Ｄ４１Ｐを「０」（オフ）とする（図２（ｇ）参照）。この判別出力信号Ｄ４１Ｐが、給電スイッチ３に対する「０」(オフ)のオン指令ＯＮ３によって開となっているアンドゲート４２Ｐとオアゲート４３Ｐを介して、フリップフロップ４４Ｐのセット入力端Ｓに加わり、フリップフロップ４４Ｐがセットされる。これにより、フリップフロップ４４Ｐがゲートオン許可信号ＧＡ４Ｐを「１」(オン)にして保持する。このゲートオン許可信号ＧＡ４Ｐによってアンドゲート４５Ｐが開となり、給電スイッチ４に対するオン指令ＯＮ４が、給電スイッチ４のサイリスタ４Ｐのゲートにゲートオン信号Ｇ４Ｐとして加えられる。これにより、サイリスタ４Ｐが直ちにオンする。
【００３０】
ｔ１からｔ２の期間、転換先のサイリスタ４Ｐのみにオン信号が与えられるが、転換先の他の相のＮ側のサイリスタの導通状態によって、電源２から負荷５への給電の有無が決まる。ｔ２以降、電流Ｉ１がゼロになるため、Ｎ側のサイリスタのゲートオンを許可する極性判別器４１Ｎが出力しなくなる。
【００３１】
極性判別器４１Ｎに代わって、ゼロ電流検出器４６Ｉが、電流Ｉ１がゼロとなるｔ２時点でこれを検出し、「１」となる検出信号を発生する。この信号が遅延回路４６Ｄにより所定の時間αだけ遅らされて、ｔ３時点で、スイッチオフ検出器４６が給電スイッチ３のオフを示す「１」となる検出信号ＤＳ４が発生される(図２（ｊ）参照)。この信号ＤＳ４は、「０」となっている給電スイッチ３に対するオン指令ＯＮ３がノット回路４８を介して反転して加わることによって開となっているアンドゲート４６Ａと、オアゲート４３Ｐ、４３Ｎを介して、フリップフロップ４４Ｐ、４４Ｎのセット端子Ｓに加わる。これによって、リップフロップ４４Ｎもセットされ、ゲートオン許可信号ＧＡ４Ｎを「１」(オン)にして保持する（図２（ｎ）参照）。
【００３２】
フリップフロップ４４Ｎが保持した「１」(オン)となったセットゲートオン許可信号ＧＡ４Ｎが、アンドゲート４５Ｎに加わり、アンドゲート４５Ｎが開となる。これにより、指令入力端Ｓ４１からの給電スイッチ４に対するオン指令ＯＮ４が、ゲート信号Ｇ４Ｎとして給電スイッチ４のサイリスタ４Ｎのゲートに加わる（図２（ｎ）参照）。ｔ３の時点でＰ側、Ｎ側の両方のゲート信号が転換先のサイリスタ４Ｐ、４Ｎに与えられる。
【００３３】
このように、ゲート信号Ｇ４Ｎが加えられた給電スイッチ４のサイリスタ４Ｎは、電流Ｉ２が負極性となるｔ４時点からオンし、給電スイッチ４がオンする。以後は、電流Ｉ２の極性に応じて、給電スイッチ４の両方のサイリスタ４Ｐ、４Ｎが交互にオンして、負荷５への給電を行う（図２（ｂ）、（ｔ）参照）。
【００３４】
スイッチオフ検出器４６で、電流ゼロの検出から所定時間αだけ出力を遅らせるのは、給電スイッチ４への切換え時に、給電スイッチ４のサイリスタ４Ｎが、サイリスタ３Ｐと同時に導通(オン)して、電源１側から電源２側へ横流が流れるのを防止するためである。このため、出力を遅らせる時間αは、サイリスタ３Ｐと４Ｎが同時に導通するのを防止できる時間に設定する。
【００３５】
次に、負荷５へ給電する電源を電源２から電源１に切り換えるときの動作を説明する。
【００３６】
給電する電源を電源２から電源１に切り換えるために、図２（ｃ）、（ｄ）に示すように、ｔ１０時点で、切換制御回路４０の給電スイッチ４に対するオン指令ＯＮ４を「１」(オン)から「０」(オフ)に、切換制御回路３０の給電スイッチ３に対するオン指令ＯＮ３を「０」(オフ)から「１」（オン）に切り換える。
【００３７】
これによって、切換制御回路４０における給電スイッチ４へのゲート信号Ｇ４Ｐ、Ｇ４Ｎが直ちに「０」（オフ）になるが、給電スイッチ４のサイリスタ４Ｎに電流Ｉ２の負の電流が流れているので、そのまま導通し、電流Ｉ２を流し続ける（図２（ｂ）参照）。また、「０」（オフ）となったオン指令ＯＮ４がノット回路４７を介してリセット入力端Ｒに加わるため、フリップフロップ４４Ｐ、４４Ｎは、リセットされ、図２（ｑ）、（ｒ）に示すようにゲートオン許可信号ＧＡ４Ｐ，ＧＡ４Ｎが「０」（オフ）となる。
【００３８】
電流Ｉ２が、ゼロまで減少するｔ１０からｔ１１の期間で、切換制御回路３０の電流極性判別器３１Ｎが電流Ｉ２の負極性を判別して、判別信号Ｄ３１Ｎを「１」（オン）とする(図２（ｆ）参照)。この極性判別器３１Ｎからの判別信号がアンドゲート３２Ｎ、オアゲート３３Ｎを介して、セット入力端Ｓに加わり、フリップフロップ３４Ｎがセットされ、ゲートオン許可信号ＧＡ３Ｎを「１」（オン）にして保持する。このゲートオン許可信号ＧＡ３Ｎによって、アンドゲート３５Ｎが開き、オン指令ＯＮ３がゲート信号Ｇ３Ｎとして、給電スイッチ３の負側のサイリスタ３Ｎのゲートに加えられる。これにより、サイリスタサイリスタ３Ｎが点弧導通（オン）する。
【００３９】
ｔ１０からｔ１１の期間、転換先のサイリスタ３Ｎのみにオン信号が与えられるが、転換先の他の相のＰ側のサイリスタの導通状態によって、電源１から負荷５への給電の有無が決まる。ｔ１１以降、電流Ｉ２がゼロになるため、Ｐ側のサイリスタのゲートオンを許可する極性判別器３１Ｐが出力しなくなる。
【００４０】
極性判別器３１Ｐに代わって、ｔ１１時点で電流Ｉ２がゼロに減少するので、これが切換制御回路３０のゼロ電流検出器３６Ｉにより検出される。この検出信号は遅延回路３６Ｄからこれから所定時間α遅れて給電スイッチ３のオフ検出信号ＤＳ３として出力される（図２（ｉ）参照）。このスイッチオフ検出信号ＤＳ３は、アンドゲート３２Ａ、オアゲート３４Ｐ、３４Ｎを介してフリップフロップ３４Ｐ、３４Ｎのセット入力端Ｓに加わるので、フリップフロップ３４Ｐもセットされて、ゲートオン許可信号ＧＡ３Ｐをオン（「１」）にして保持する（図２（ｋ）参照)。
【００４１】
このゲートオン許可信号ＧＡ３Ｐによって、アンドゲート３５Ｐが開き、オン指令ＯＮ３が、ゲート信号Ｇ３Ｐとして、給電スイッチ３の正側サイリスタ３Ｐのゲートに加えられる。これにより、電流Ｉ１が正極性となるｔ１３において、負側サイリスタ３Ｎはオフし、正側サイリスタ３Ｐがオンする。以後は、オン指令ＯＮ３がオフ（「０」）になるまで、給電スイッチ３のサイリスタ３Ｐ、３Ｎが電流Ｉ１の極性に応じて交互にオンし、負荷３への給電を行う。
【００４２】
以上のとおり、この発明おいては、２つの交流電源から１つの負荷に給電するための給電回路のそれぞれに、サイリスタを逆極性に並列接続して構成した給電スイッチを設け、この給電スイッチを切り換えるとき、オンしている側の給電スイッチが完全にオフになった後に、オフしている側の給電スイッチをオンにするので、電源の切り換え時に電源間に流れる横流を防止することができる。
【符号の説明】
【００４３】
１，２：交流電源
１１，２１：給電路
１２：２２：電流検出器
３，４：給電スイッチ
３Ｐ，３Ｎ，４Ｐ，４Ｎ：サイリスタ
３０，４０：切換制御回路
３１Ｐ，３１Ｎ，４１Ｐ，４１Ｎ：極性判別器
３２Ａ，３２Ｐ，３２Ｎ，３５Ｐ，３５Ｎ，４２Ａ，４２Ｐ，４２Ｎ，４５Ｐ，４５Ｎ：アンドゲート
３３Ｐ，３３Ｎ，４３Ｐ，４３Ｎ：オアゲート
３４Ｐ，３４Ｎ,４４Ｐ，４４Ｎ：フリップフロップ
３６，４６：スイッチオフ検出器
３７,３８,４７,４８：ノット回路
Ｓ３１，Ｓ４１：開閉指令入力端
ＯＮ３：給電スイッチ３に対するオン指令
ＯＮ４：給電スイッチ４に対するオン指令。
【図１】
0006432472.tif 000002
【図２】
0006432472.tif 000003